(57)【要約】【課題】  サイドドラフト型の整流板付きレンジフードにおいて、吸い込みの性能を高めてより多くの油煙を捕獲し、かつ捕獲した油を油受けに回収する。【解決手段】  レンジフード１００は、フード１０の内面に設けられ、空気を吸い込む開口部２２を有する内面パネル２０と、内面パネルと対向し、開口部を覆うように取り付けられる整流板３０と、を備え、設置された際、内面パネルの一端２０Ｕおよび内面パネルの一端に対応する整流板の一端３０Ｕは、内面パネルの他端２０Ｄおよび内面パネルの他端に対応する整流板の他端３０Ｄに対して、それぞれ高い位置に存する。レンジフードは、さらに、他端の側の一部において整流板と内面パネルの間の間隔を狭める風量抑制部２１と、整流板の他端の側または内面パネルの他端の側に設けられ、整流板の他端の幅より大きい幅を有する油受部４０と、を備える。【選択図】  図６
2018077038.tif 000002
【特許請求の範囲】
【請求項１】
フードの内面に設けられ、空気を吸い込む開口部を有する内面パネルと、
前記内面パネルと対向し、前記開口部を覆うように取り付けられる整流板と、
を備え、設置された際、前記内面パネルの一端および前記内面パネルの一端に対応する前記整流板の一端は、前記内面パネルの他端および前記内面パネルの他端に対応する前記整流板の他端に対して、それぞれ高い位置に存するレンジフードにおいて、
前記レンジフードは、さらに、
前記整流板の他端の側または前記内面パネルの他端の側の一部において前記整流板と前記内面パネルの間の間隔を狭める風量抑制部と、
前記整流板の他端の側または前記内面パネルの他端の側に設けられ、前記整流板の他端の幅より大きい幅を有する油受部と、
を備えるレンジフード。
【請求項２】
前記風量抑制部は、前記内面パネルが前記整流板の他端の側の中央部に対応する位置に前記整流板の方へ膨出した膨出部であることを特徴とする請求項１に記載のレンジフード。
【請求項３】
前記膨出部における内面パネルの他端の側の幅は、前記油受部の幅より小さいことを特徴とする請求項２に記載のレンジフード。
【請求項４】
前記膨出部は、前記整流板により覆われていることを特徴とする請求項２または３に記載のレンジフード。
【請求項５】
前記風量抑制部は、前記整流板が前記整流板の他端の中央部において前記内面パネルの方へ立ち上がったフランジであることを特徴とする請求項１に記載のレンジフード。
【請求項６】
前記整流板の他端の鉛直下に前記油受部を設けることを特徴とする請求項１乃至５のいずれかに記載のレンジフード。
【請求項７】
前記内面パネルの他端は、裏側に付着した油を前記油受部に誘導する誘導フランジ部を備えることを特徴とする請求項１乃至６のいずれかに記載のレンジフード。
【請求項８】
前記油受部の前記大きい幅の方向における前記誘導フランジ部の幅は、前記油受部の同方向の幅よりも短いことを特徴とする請求項７に記載のレンジフード。
【請求項９】
前記内面パネルは、前記整流板の取付部が取り付けられる被取付部を有し、
前記風量抑制部が前記内面パネルに設けられる場合には前記被取付部は前記風量抑制部に設けられ、前記風量抑制部が前記整流板に設けられる場合には前記取付部は前記風量抑制部に設けられることを特徴とする請求項１乃至８のいずれかに記載のレンジフード。
【請求項１０】
レンジフードは、さらに、ファンケーシングを内部に含む送風機ボックスを備え、
前記ファンケーシングは、前記ファンケーシングの内部に付着した油分を下方へ導くファンケーシング油抜き孔を有し、前記送風機ボックスは、前記ファンケーシング油抜き孔から滴下した油や前記送風機ボックスの内部に付着した油分をさらに下方へ導く送風機ボックス油抜き孔を有し、
前記送風機ボックス油抜き孔の正面側端部は、前記開口部に嵌ったフィルタの背面側端部よりも背面側に位置し、前記送風機ボックス油抜き孔の背面側端部は前記油受部の背面側端部よりも正面側に位置することを特徴とする請求項１乃至９のいずれかに記載のレンジフード。
【発明の詳細な説明】
【技術分野】
【０００１】
本発明は、レンジフードに関し、特にサイドドラフト型のレンジフードに関する。
【背景技術】
【０００２】
従来から、吸込面が水平でないサイドドラフト型の整流板付きレンジフードが提案されている。サイドドラフト型の整流板付きレンジフードとは、レンジフードの内面パネルとそれに対向する整流板が一方側（たとえば、正面側）において高く、他方側（たとえば、背面側）において低くなるように傾斜しており、調理等により発生し上昇する油煙等を横方向から吸引するタイプのレンジフードである。また、このようなレンジフードは、調理器から発生する油煙を整流板における四辺から吸い込むレンジフードと、整流板の下辺が油受け等で塞がれ、残りの三辺から吸い込むレンジフードに分かれる。
【発明の概要】
【発明が解決しようとする課題】
【０００３】
しかし、前者の整流板の四辺から空気を吸い込むレンジフードでは、内面パネルに設けられる送風機に連通する開口部の位置によって、開口部から離れる箇所、例えば整流板の角部付近では吸い込みの力が弱く、油煙を捕獲できないことがある。また、後者の整流板の三辺から空気を吸い込むレンジフードでは、調理器から上昇してくる油煙が最も初めに近接する整流板における下辺の吸込口が塞がれているため、下辺から油煙を吸い込むことができない。他の辺の吸込口から吸いこむこともできるが、他の吸込口は油煙が上昇する向きと吸い込みの方向が異なり、吸い込みの効率が悪い。このことから、捕獲できるはずの油煙を逃がしてしまっていた。
そこで、本発明は、サイドドラフト型の整流板付きレンジフードにおいて、吸い込みの性能を高めてより多くの油煙を捕獲し、かつ捕獲した油を油受けに回収するレンジフードを提供するものである。
【課題を解決するための手段】
【０００４】
上記課題を解決するために、フードの内面に設けられ、空気を吸い込む開口部を有する内面パネルと、内面パネルと対向し、開口部を覆うように取り付けられる整流板と、を備え、設置された際、内面パネルの一端および内面パネルの一端に対応する整流板の一端は、内面パネルの他端および内面パネルの他端に対応する整流板の他端に対して、それぞれ高い位置に存するレンジフードにおいて、レンジフードは、さらに、整流板の他端の側または内面パネルの他端の側の一部において整流板と内面パネルの間の間隔を狭める風量抑制部と、整流板の他端の側または内面パネルの他端の側に設けられ、整流板の他端の幅より大きい幅を有する油受部と、を備えるレンジフードが提供される。
これによれば、整流板の他端である下辺の一部の空気の流量が抑制されることで、空気を吸い込む力がその他の部分に分散し、これにより、風量抑制部分以外の位置の吸い込み性能が向上し、開口部から離れた位置にある吸込口においても油煙を吸い込む力を確保したレンジフードを提供できる。
【０００５】
さらに、風量抑制部は、内面パネルが整流板の他端の側の中央部に対応する位置に整流板の方へ膨出した膨出部であることを特徴としてもよい。
これによれば、整流板の他端である下辺の両端部は調理器近傍に配置され、その両端部周辺に吸い込む力を集中させているため、油煙が拡散する前に吸い込むことができ、調理器に近い位置で油煙をより効率よく捕獲できると共に、部品点数を増やすことなく吸い込み性能を向上させることができるので、安価に吸い込みの性能の向上を図ることができる。また、プレス加工などにより膨出部が内面パネルと継ぎ目なく設けられているため、清掃性が良い。
【０００６】
さらに、膨出部における内面パネルの他端の側の幅は、油受部の幅より小さいことを特徴としてもよい。
これによれば、内面パネルなどに付着した油を、膨出部に沿わせて油受部に流すことができる。
【０００７】
さらに、膨出部は、整流板により覆われていることを特徴としてもよい。
これによれば、膨出部に油煙が接触しにくくなるため、膨出部の清掃性が良いと共に、整流板によって膨出部が隠れて使用者から見えなくなるため、レンジフードの意匠性が良い。
【０００８】
さらに、風量抑制部は、整流板が整流板の他端の中央部において内面パネルの方へ立ち上がったフランジであることを特徴としてもよい。
これによれば、整流板の他端である下辺の両端部は調理器近傍に配置され、その両端部周辺に吸い込む力を集中させているため、油煙が拡散する前に吸い込むことができ、調理器に近い位置で油煙をより効率よく捕獲できると共に、部品点数を増やすことなく吸い込み性能を向上させることができるので、安価に吸い込みの性能の向上を図ることができる。
【０００９】
さらに、整流板の他端の鉛直下に油受部を設けることを特徴としてもよい。
これによれば、整流板で捕獲された油が滴下した時に、油受部が油を確実に受けることができる。
【００１０】
さらに、内面パネルの他端は、裏側に付着した油を油受部に誘導する誘導フランジ部を備えることを特徴としてもよい。
これによれば、誘導フランジ部によって油が切れやすくなることで、油が油受部に向かって案内されると共に、油は確実に油受部に落ちる。
【００１１】
さらに、油受部の大きい幅の方向における誘導フランジ部の幅は、油受部の同方向の幅よりも短いことを特徴としてもよい。
これによれば、レンジフードが傾いて設置された場合でも、誘導フランジ部に誘導された油を確実に油受部に落とすことができる。
【００１２】
さらに、内面パネルは、整流板の取付部が取り付けられる被取付部を有し、風量抑制部が内面パネルに設けられる場合には被取付部は風量抑制部に設けられ、風量抑制部が整流板に設けられる場合には取付部は風量抑制部に設けられることを特徴としてもよい。
これによれば、風量抑制部付近は空気が通過しにくいことから、取付部または被取付部に油が付着しにくく、ゆえに取付部または被取付部への油の固着を防止できるため整流板の着脱が容易で、かつ構造が複雑になりやすい取付部や被取付部への油の付着が少ないため清掃性がよい。
【００１３】
さらに、レンジフードは、ファンケーシングを内部に含む送風機ボックスを備え、ファンケーシングは、ファンケーシングの内部に付着した油分を下方へ導くファンケーシング油抜き孔を有し、送風機ボックスは、ファンケーシング油抜き孔から滴下した油や送風機ボックスの内部に付着した油分をさらに下方へ導く送風機ボックス油抜き孔を有し、送風機ボックス油抜き孔の正面側端部は、開口部に嵌ったフィルタの背面側端部よりも背面側に位置し、送風機ボックス油抜き孔の背面側端部は油受部の背面側端部よりも正面側に位置することを特徴としてもよい。
これによれば、ファンケーシング油抜き孔や送風機ボックス油抜き孔から油が滴下した時に油受部へ油を確実に案内することができる。
【発明の効果】
【００１４】
以上説明したように、本発明によれば、サイドドラフト型の整流板付きレンジフードにおいて、吸い込みの性能を高めてより多くの油煙を捕獲し、かつ捕獲した油を油受けに回収するレンジフードを提供する
【図面の簡単な説明】
【００１５】
【図１】本発明に係る第一実施例におけるレンジフードの六面図。（Ａ）正面図、（Ｂ）平面図、（Ｃ）底面図、（Ｄ）左側面図、（Ｅ）右側面図。
【図２】本発明に係る第一実施例におけるレンジフードの使用状態を示す説明図。（Ａ）正面図、（Ｂ）右側面図、（Ｃ）前後方向の断面における断面図。
【図３】本発明に係る第一実施例におけるレンジフードの、（Ａ）右上から見た斜視図、（Ｂ）右下から見た斜視図。
【図４】本発明に係る第一実施例における整流板を取り外した際のレンジフードの、（Ａ）正面図、（Ｂ）底面図、（Ｃ）右下から見た斜視図、（Ｄ）油受部付近の拡大正面図。
【図５】本発明に係る第一実施例におけるレンジフードの整流板の、（Ａ）正面図、（Ｂ）平面図、（Ｃ）底面図、（Ｄ）左側面図、（Ｅ）右側面図、（Ｆ）背面図、（Ｇ）右上から見た斜視図、（Ｈ）右下から見た斜視図。
【図６】本発明に係る第一実施例におけるレンジフードの断面図（図１（Ａ）のＡ−Ａ断面における）。
【図７】本発明に係る第一実施例におけるレンジフードの油受部付近の拡大断面図（図１（Ａ）のＡ−Ａ断面における）。
【図８】本発明に係る第一実施例におけるレンジフードの、（Ａ）内面パネルの背面図、（Ｂ）内面パネルの斜視図、（Ｃ）（Ａ）の点線部分を拡大し誘導フランジ部の端部を示す拡大図、（Ｄ）（Ｂ）の点線部分を拡大し誘導フランジ部の端部を示す拡大図。
【図９】本発明に係る第二実施例におけるレンジフードの整流板の、（Ａ）正面図、（Ｂ）平面図、（Ｃ）底面図、（Ｄ）左側面図、（Ｅ）右側面図、（Ｆ）背面図、（Ｇ）右上から見た斜視図、（Ｈ）右下から見た斜視図。
【図１０】本発明に係る第二実施例におけるレンジフードの油受部付近の拡大断面図（図１（Ａ）のＡ−Ａ断面に相当する断面における）。
【図１１】本発明に係るレンジフードを模式図化した側面図。（Ａ）第一実施例のレンジフードの傾斜が４５°の場合、（Ｂ）傾斜が３０°の場合、（Ｃ）傾斜が９０°の場合。
【発明を実施するための形態】
【００１６】
以下では、図面を参照して、各実施例について説明する。
＜第一実施例＞
図１乃至図７を参照して、本実施例に係るレンジフード１００を説明する。レンジフード１００は、鍋やフライパンを載せて調理する調理器の上方や側方に設置されて、調理により発生する油煙や蒸気などを捕集して、油分を回収し、油分を取り除かれた清浄な空気を屋外などに排気する、所謂サイドドラフト型のレンジフードである。レンジフード１００は、油煙等を捕集するためのフード１０の内面に設けられた内面パネル２０と、内面パネル２０と対向して捕集効率を向上させる整流板３０と、油分を回収するための油受部４０と、空気を吸引し排気する送風機５２を備え、内面パネル２０と整流板３０は、正面側に高く、背面側に低くなるように設置される。
【００１７】
ここで、図１１を参照して、サイドドラフト型のレンジフードについて説明する。通常のレンジフードが、内面パネルやそれに対向する整流板がおおよそ水平に設置されるのに対して、サイドドラフト型のレンジフードは、内面パネルとそれに対向する整流板が正面側（使用者が居る側）において高く、背面側（主に壁などがある奥側）において低くなるように傾斜している。本図（Ａ）は、本実施例のレンジフード１００を模式図化したものであるが、レンジフード１００においては、内面パネル２０の平坦な主要部分と整流板３０は、水平面に対して４５°の傾斜をなしている。すなわち、正面側を一端側、背面側を他端側とすると、内面パネル２０の一端２０Ｕおよびその内面パネル２０の一端２０Ｕに対応する整流板３０の一端３０Ｕは、内面パネル２０の他端２０Ｄおよびその内面パネル２０の他端２０Ｄに対応する整流板３０の他端３０Ｄに対して、それぞれ高い位置に存する。
【００１８】
レンジフード１００を使用する場合、調理により発生する背面側（調理器の奥側）の油煙等は、比較的フライパンから近くて低い位置にある、内面パネル２０の他端２０Ｄと整流板３０の他端３０Ｄの間の隙間から吸引される。一方、正面側（調理器の手前側）の油煙等は、比較的フライパンから遠くて高い位置にある、内面パネル２０の一端２０Ｕと整流板３０の一端３０Ｕの間の隙間から吸引される。もちろん、調理器の右側または左側付近で発生する油煙等は、内面パネル２０の右縁と整流板３０の右縁の間の隙間から、また、内面パネル２０の左縁と整流板３０の左縁の間の隙間から吸引される。
【００１９】
本図（Ｂ）は、内面パネル２０’と整流板３０’が水平面に対して３０°の傾斜をなしているレンジフードを示している。同様に、このレンジフードにおいても、内面パネル２０’の一端２０Ｕ’およびその内面パネル２０’の一端２０Ｕ’に対応する整流板３０’の一端３０Ｕ’は、内面パネル２０’の他端２０Ｄ’およびその内面パネル２０’の他端２０Ｄ’に対応する整流板３０’の他端３０Ｄ’に対して、それぞれ高い位置に存する。そして、背面側の油煙等は、比較的フライパンから近くて低い位置にある、内面パネル２０’の他端２０Ｄ’と整流板３０’の他端３０Ｄ’の間の隙間から吸引される。一方、正面側の油煙等は、比較的フライパンから遠くて高い位置にある、内面パネル２０’の一端２０Ｕ’と整流板３０’の一端３０Ｕ’の間の隙間から吸引される。
【００２０】
本図（Ｃ）は、内面パネル２０’’と整流板３０’’が水平面に対して９０°の傾斜をなしているレンジフードを示している。同様に、このレンジフードにおいても、内面パネル２０’’の一端２０Ｕ’’およびその内面パネル２０’’の一端２０Ｕ’’に対応する整流板３０’’の一端３０Ｕ’’は、内面パネル２０’’の他端２０Ｄ’’およびその内面パネル２０’’の他端２０Ｄ’’に対応する整流板３０’’の他端３０Ｄ’’に対して、それぞれ高い位置に存する。そして、背面側の油煙等は、比較的フライパンから近くて低い位置にある、内面パネル２０’’の他端２０Ｄ’’と整流板３０’’の他端３０Ｄ’’の間の隙間から吸引される。一方、正面側の油煙等は、比較的フライパンから遠くて高い位置にある、内面パネル２０’’の一端２０Ｕ’’と整流板３０’’の一端３０Ｕ’’の間の隙間から吸引される。
【００２１】
このように、サイドドラフト型のレンジフードは、文字通り油煙等を横方向から（サイドから）吸引するものであり、内面パネル２０’と整流板３０’が水平面に対して概ね３０°〜９０°の傾斜を有するものである。サイドドラフト型のレンジフードの場合、背面側の油煙等は、調理器から近くて低い位置で拡散する前に吸引されるため、捕集効率が高く、正面側の油煙等は、調理器から遠くて高い位置で吸引するため、捕集効率が低くなる傾向にある。したがって、サイドドラフト型のレンジフードでは、送風機の空気を吸い込む力の吸引力を整流板と内面パネルの間の隙間（吸込口）になるべくバランス良く配置することで、全体として捕集効率を向上させることが課題となる。また、サイドドラフト型のレンジフードは、内面パネルと整流板が傾斜しているため、付着した油分が低い方へ流れていくが、かかる油分を適切に回収することが課題となる。
【００２２】
レンジフード１００は、上述したようなサイドドラフト型のレンジフードであって、内部に送風機ボックス５０を有するフード１０と、フード１０の内面に設けられ、空気を吸い込む開口部２２を有する内面パネル２０と、内面パネル２０と対向し、開口部２２を覆うように取り付けられる整流板３０と、低い方に位置する内面パネル２０の他端２０Ｄ側または整流板３０の他端３０Ｄ側の一部において、内面パネル２０が整流板３０の他端３０Ｄの側の左右方向における中央部（正面視）に対応する位置に整流板３０の方へ膨出した膨出部２１と、低い方に位置する内面パネル２０の他端２０Ｄ側または整流板３０の他端３０Ｄ側に設けられ、整流板３０の他端３０Ｄの幅より大きい幅を有する油受部４０と、を備える。なお、レンジフード１００は、さらに、内面パネル２０の最も正面側の部分に、使用者がレンジフード１００をオン／オフ等をさせるための操作部７０と、調理する際に明るくするための照明部７１を有する。
【００２３】
フード１０は、図６に示すように、内部の背面側に送風機ボックス５０を有し、内面パネル２０の開口部２２から空気を吸い込み、ダクトカバー８０が覆いダクト取付部８１と接続されるダクト（図示せず）へ排気する。なお、送風機ボックス５０は、内部にファンケーシング５１を有し、ファンケーシング５１は、内部に空気の流れを発生させる送風機５２を有する。内面パネル２０は、図３（Ｂ）、図４、および図６等に示すように、縁から中央部に向けて送風機ボックス５０の方へ、整流板３０が収められる程度に凹む凹状をなし、開口部２２の周囲は整流板３０と対向して平行をなすように平坦な形状である。上述したように、内面パネル２０の開口部２２の周囲の平坦な主要部分は、水平面に対して４５°の角度で正面側から背面側に低くなるように傾斜しており、したがって、整流板３０も同様に水平面に対して４５°の角度で正面側から背面側に低くなるように傾斜している。開口部２２には、油煙から油脂分を除去するフィルタ６０が設けられ、ここで除去された油脂分は、後述する方法により油受部４０に回収される。
【００２４】
整流板３０は、基本的に内面パネル２０の縁部との間に隙間を形成することにより、その部分における空気の流速を上げて、空気を吸い込み易くする。これにより、レンジフード１００の捕集効率が向上する。整流板３０は、図４および図５に示すように、整流板３０の一端３０Ｕにおいて内面パネル２０に設けられた被係合部２４に係合部３１が係合することにより、また、整流板３０の他端３０Ｄにおいて内面パネル２０に設けられた被取付部２５に取付部３２が取り付けられることにより、内面パネル２０に結合される。なお、被取付部２５は、膨出部２１に設けられ、磁石を含み、金属製の整流板３０を磁力により取り付ける。
【００２５】
膨出部２１は、内面パネル２０と一体成型により、内面パネル２０が整流板３０の方へ膨出して形成される。膨出部２１は、整流板３０の他端３０Ｄの側の位置に形成される。整流板３０の他端３０Ｄである下辺付近に、内面パネル２０から整流板３０の方へ膨出することで、整流板３０の他端３０Ｄの側の一部において整流板３０と内面パネル２０の間の間隔を狭め、空気を流れにくくして流量を抑えることになる。このように、整流板３０の他端３０Ｄである下辺の一部の空気の流量が抑制されることで、空気を吸い込む力がその他の部分に分散し、これにより、膨出部２１以外の位置の吸い込み性能が向上し、開口部２２から離れた位置にある吸込口においても油煙を吸い込む力を確保したレンジフード１００を提供できる。膨出部２１は、別部材を内面パネル２０に取り付けることにより設けてもよいが、プレス加工により内面パネル２０と継ぎ目なく設けると清掃性が良くなるため好ましい。
【００２６】
また、本実施例のレンジフード１００においては、膨出部２１は、整流板３０の他端３０Ｄの側の左右方向における中央部（内面パネル２０のほぼ中央に位置する開口部２２の下辺り）に対応する位置に形成される。これにより、図２（Ａ）に示すように、整流板３０の他端３０Ｄの側の両端部が通常調理器のコンロの真上に位置することとなる。このように、整流板３０の他端３０Ｄである下辺の両端部は調理器近傍に配置され、その両端部周辺に吸い込む力を集中させているため、油煙が拡散する前に吸い込むことができ、調理器に近い位置で油煙をより効率よく捕獲できる。また、プレス加工などにより膨出して作製されるため、部品点数を増やすことなく吸い込み性能を向上させることができるので、安価に吸い込みの性能の向上を図ることができる。
【００２７】
また、図１（Ａ）と図４（Ａ）、図３（Ｂ）と図４（Ｃ）を比べればわかるように、膨出部２１は、整流板３０により覆われている。このように、膨出部２１に油煙が接触しにくくなるため、膨出部２１の清掃性が良いと共に、整流板３０によって膨出部２１が隠れて使用者から見えなくなるため、レンジフード１００の意匠性が良い。
【００２８】
油受部４０は、低い方に位置する内面パネル２０の他端２０Ｄ側または整流板３０の他端３０Ｄ側に設けられ、整流板３０の他端３０Ｄの幅より大きい幅を有する。調理により発生する油煙等は、図２（Ａ）のように吸い込まれ、例えば内面パネル２０の図４（Ａ）に示す油分付着領域ＯＺのような部分に多く付着する。油分付着領域ＯＺの中でより多くの油が付着する部分は、整流板３０の縁の辺りである。これら部分に油分が付着すると、内面パネル２０は傾いているので、油分は内面パネル２０の他端２０Ｄの方へ流れていく。油受部４０は、内面パネル２０の他端２０Ｄ側に設けられ、整流板３０の他端３０Ｄの幅より大きい幅を有するので、付着して低い方へ流れていった油分を適切に回収することができる。なお、油受部４０は、正面側中央部に監視窓４１を備え、使用者が油の溜まり具合を監視できる。
【００２９】
また、膨出部２１における内面パネル２０の他端２０Ｄの側の横幅（正面視）、すなわち、膨出部２１の最も下部の横幅は、油受部４０の横幅より小さい。フィルタ６０に付着した油分は、フィルタ６０自身の下部の方へ流れ、図４（Ｄ）に示す油分の流れＯＬのように、膨出部２１の脇を通るように流れていき、油受部４０に到達する。これによれば、内面パネル２０などに付着した油分を、膨出部２１に沿わせて油受部４０に流すことができる。
【００３０】
図７を参照し、レンジフード１００の下部である、内面パネル２０の他端２０Ｄおよび整流板３０の他端３０Ｄ付近を説明する。内面パネル２０は、フィルタ６０を嵌める開口部２２と同じ面から、整流板３０の方へ一体成型されて膨出し、整流板３０と内面パネル２０の間の間隔を狭める膨出部２１を有する。本実施例では、この膨出部２１は、整流板３０の他端３０Ｄの側の中央部に対応する位置に形成される。整流板３０の他端３０Ｄは、Ｕ字状に屈曲して、その端部が取付部３２として形成さている。取付部３２は、磁石の被取付部２５に磁力により取り付けられる。
【００３１】
整流板３０は、取付部３２よりも高さが低いフランジ３３を有する。フランジ３３は、整流板３０のすべての周囲に同じ高さで存する。本図に示されるように、取付部３２以外では整流板３０の最も内面パネル２０に近い部分であるフランジ３３と、膨出部２１の間にはわずかな隙間しかない。一方、本図で示される左右方向における中央部以外の部分では、膨出部２１が存在しないので、その分の隙間が確保されている。膨出部２１は、整流板３０の他端３０Ｄおよび内面パネル２０の他端２０Ｄにおいて、その中央部における整流板３０と内面パネル２０の間の間隔を狭めて風量を抑制する部分として機能する。このように、整流板３０の他端３０Ｄである下辺の一部の空気の流量が抑制されることで、空気を吸い込む力がその他の部分に分散し、これにより、膨出部２１以外の位置の吸い込み性能が向上し、開口部２２から離れた位置にある、たとえば内面パネル２０の一端２０Ｕと整流板３０の一端３０Ｕの間の隙間の吸込口においても油煙を吸い込む力を確保したレンジフード１００を提供できる。
【００３２】
また、整流板３０の最も下端となる他端３０Ｄは、整流板３０に付着した油分が流れてきて、油が下に滴下する部分である。したがって、油受部４０の前端部４２は、整流板３０の他端３０Ｄより正面側（図示左側）、かつ、油受け部４０の後端部は、整流板３０の他端３０Ｄより背面側（図示右側）に位置すること、すなわち、整流板３０の他端３０Ｄの鉛直下に油受部４０を設けることが好ましい。これによれば、整流板３０で捕獲された油が滴下した時に、油受部４０が油を確実に受けることができる。
【００３３】
また、ファンケーシング５１は、送風機５２やファンケーシング５１の内部に付着した油分を下方へ導くファンケーシング油抜き孔５３を有する。また、送風機ボックス５０は、ファンケーシング油抜き孔５３から滴下した油や送風機ボックス５０の内部に付着した油分をさらに下方へ導く送風機ボックス油抜き孔５４を有する。送風機ボックス油抜き孔５４の正面側端部は、開口部２２に嵌められたフィルタ６０の背面側端部よりも背面側に位置し、送風機ボックス油抜き孔５４の背面側端部は、油受部４０の背面側端部より正面側に位置する。この送風機ボックス油抜き孔５４から滴下した油は、内面パネル２０に裏側に付着して、さらに下方へ流れる。内面パネル２０の他端２０Ｄは、このようにして流れてきて内面パネル２０の裏側に付着した油を油受部４０に誘導する概ね水平な誘導フランジ部２３を備える。このような誘導フランジ部２３は、油が切れやすくする。このように、誘導フランジ部２３によって油が切れやすくなることで、油が油受部４０に向かって案内されると共に、油は確実に油受部４０に落ちる。
【００３４】
図８に示すように、誘導フランジ部２３の正面視左右の端部の位置にある誘導フランジ部側端部２６は、内面パネル２０に空けられた油受部４０を嵌めるための油受部嵌合部２７の正面視左右の端部の位置にある油受部嵌合部側端部２８より、中央側に設けられる。すなわち、誘導フランジ部２３の正面視左右方向の幅は、油受部４０の正面視左右方向の幅より短い。なお、油受部４０の正面視左右方向の幅とは、油受部４０が有する整流板３０の他端３０Ｄの幅より大きい幅のことをいう。したがって、換言すれば、油受部４０のその大きい幅の方向における誘導フランジ部２３の幅は、油受部４０の同方向の幅よりも短い。これにより、レンジフード１００が傾いて設置された場合でも、誘導フランジ部２３に誘導された油を確実に油受部４０に落とすことができる。
【００３５】
＜第二実施例＞
図９乃至図１０を参照して、本実施例に係るレンジフード１００Ａを説明する。なお、重複記載を避けるため、上記実施例と同じ構成要素には同じ符号を付して説明を省略し、異なる部分を中心に説明する。レンジフード１００Ａは、フード１０の内面に設けられる内面パネル２０Ａと、内面パネル２０Ａと対向して取り付けられる整流板３０Ａを備える。整流板３０Ａは、整流板３０Ａの最も下端となる他端３０Ｄにおいて、それ以外の部分のフランジ３３より高さが高く、中央部において内面パネル２０Ａの方へ立ち上がったフランジ３３Ａを有する。
【００３６】
一方、内面パネル２０Ａは、上記実施例の内面パネル２０にはあった膨出部２１が存在しない。すなわち、内面パネル２０Ａは、内面パネル２０Ａの他端２０Ｄ側を含めて、すべての四周の縁から中央部に向けて送風機ボックス５０の方へ、整流板３０が収められる程度に凹む凹状をなす。すなわち、上記実施例では、内面パネル２０が膨出部２１を有することで、整流板３０と内面パネル２０の間の間隔を狭める風量抑制部として機能していたが、本実施例では、整流板３０Ａの方がフランジ３３Ａを有することで、整流板３０Ａと内面パネル２０Ａの間の間隔を狭める風量抑制部として機能している。このように、整流板３０Ａの他端３０Ｄである下辺の両端部は調理器近傍に配置され、その両端部周辺に吸い込む力を集中させているため、油煙が拡散する前に吸い込むことができ、調理器に近い位置で油煙をより効率よく捕獲できる。また、整流板３０Ａと内面パネル２０Ａの間の間隔を狭める風量抑制部として機能するには、整流板の他端側に別部材を設けてもよいが、整流板３０Ａの他端３０Ｄに他より高さの高いフランジ３３Ａを形成することで、部品点数を増やすことなく吸い込み性能を向上させることができ、安価に吸い込みの性能の向上を図ることができるので好ましい。なお、フランジ３３Ａは、それ以外の部分のフランジ３３より高さが高く形成されているが、これに限定されず、たとえば、整流板の他端をプレス加工などにより内面パネルの方へ湾曲させることで風量制御部としても良い。また、整流板３０Ａは、フランジ３３Ａの先端から内面パネル２０Ａに設けられた被取付部２５Ａに対向するように屈曲して設けられた取付部３２Ａを有する。
【００３７】
上記実施例のように、内面パネル２０は、整流板３０の取付部３２が取り付けられる被取付部２５を有し、膨出部２１（風量抑制部）が内面パネル２０に設けられる場合には被取付部２５は膨出部２１（風量抑制部）に設けられ、本実施例のように、内面パネル２０Ａは、整流板３０Ａの取付部３２Ａが取り付けられる被取付部２５Ａを有し、フランジ３３Ａ（風量抑制部）が整流板３０Ａに設けられる場合には取付部３２Ａはフランジ３３Ａ（風量抑制部）に設けられてもよい。これによれば、風量抑制部付近は空気が通過しにくいことから、取付部または被取付部に油が付着しにくく、ゆえに取付部または被取付部への油の固着を防止できるため整流板の着脱が容易で、かつ構造が複雑になりやすい取付部や被取付部への油の付着が少ないため清掃性がよい。
【００３８】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、適用例、その他の詳細な構成において、当業者が様々な変形を加えることができるものである。
【００３９】
たとえば、風量抑制部は、第一実施例では内面パネル２０に、第二実施例では整流板３０Ａに備えられたが、これに限定されず、整流板の他端に他より高さの高いフランジを設け、かつ、内面パネルのその高さの高いフランジに対応する位置に膨出部を設けるというように、内面パネルと整流板の両方に風量抑制部が備えられてもよい。
【符号の説明】
【００４０】
１００    レンジフード
１０      フード
２０      内面パネル
２０Ｕ    内面パネルの一端
２０Ｄ    内面パネルの他端
２１      膨出部（風量抑制部）
２２      開口部
２３      誘導フランジ部
２４      被係合部
２５      被取付部
２６      誘導フランジ部側端部
２７      油受部嵌合部
２８      油受部嵌合部側端部
３０      整流板
３０Ｕ    整流板の一端
３０Ｄ    整流板の他端
３１      係合部
３２      取付部
３３      フランジ
３３Ａ    フランジ（風量抑制部）
４０      油受部
４１      監視窓
４２      前端部
５０      送風機ボックス
５１      ファンケーシング
５２      送風機
５３      ファンケーシング油抜き孔
５４      送風機ボックス油抜き孔
６０      フィルタ
７０      操作部
７１      照明部
８０      ダクトカバー
８１      ダクト取付部
ＯＺ      油分付着領域
ＯＬ      油分の流れ
【図１】
2018077038.tif 000003
【図２】
2018077038.tif 000004
【図３】
2018077038.tif 000005
【図４】
2018077038.tif 000006
【図５】
2018077038.tif 000007
【図６】
2018077038.tif 000008
【図７】
2018077038.tif 000009
【図８】
2018077038.tif 000010
【図９】
2018077038.tif 000011
【図１０】
2018077038.tif 000012
【図１１】
2018077038.tif 000013
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
フードの内面に設けられ、空気を吸い込む開口部を有する内面パネルと、
前記内面パネルと対向し、前記開口部を覆うように取り付けられる整流板と、
を備え、設置された際、前記内面パネルの一端および前記内面パネルの一端に対応する前記整流板の一端は、前記内面パネルの他端および前記内面パネルの他端に対応する前記整流板の他端に対して、それぞれ高い位置に存し、前記内面パネルと前記整流板が正面側において高く、背面側において低くなるように傾斜しているサイドドラフト型のレンジフードにおいて、
前記レンジフードは、さらに、
前記整流板の他端の側または前記内面パネルの他端の側の一部において前記整流板と前記内面パネルの間の間隔を狭める風量抑制部と、
前記整流板の他端の側または前記内面パネルの他端の側に設けられ、前記整流板の他端の幅より大きい幅を有する油受部と、
を備えるレンジフード。
【請求項２】
前記風量抑制部は、前記内面パネルが前記整流板の他端の側の中央部に対応する位置に前記整流板の方へ膨出した膨出部であることを特徴とする請求項１に記載のレンジフード。
【請求項３】
前記膨出部における内面パネルの他端の側の幅は、前記油受部の幅より小さいことを特徴とする請求項２に記載のレンジフード。
【請求項４】
前記膨出部は、前記整流板により覆われていることを特徴とする請求項２または３に記載のレンジフード。
【請求項５】
前記風量抑制部は、前記整流板が前記整流板の他端の中央部において前記内面パネルの方へ立ち上がったフランジであることを特徴とする請求項１に記載のレンジフード。
【請求項６】
前記整流板の他端の鉛直下に前記油受部を設けることを特徴とする請求項１乃至５のいずれかに記載のレンジフード。
【請求項７】
前記内面パネルの他端は、裏側に付着した油を前記油受部に誘導する誘導フランジ部を備えることを特徴とする請求項１乃至６のいずれかに記載のレンジフード。
【請求項８】
前記油受部の前記大きい幅の方向における前記誘導フランジ部の幅は、前記油受部の同方向の幅よりも短いことを特徴とする請求項７に記載のレンジフード。
【請求項９】
前記内面パネルは、前記整流板の取付部が取り付けられる被取付部を有し、
前記風量抑制部が前記内面パネルに設けられる場合には前記被取付部は前記風量抑制部に設けられ、前記風量抑制部が前記整流板に設けられる場合には前記取付部は前記風量抑制部に設けられることを特徴とする請求項１乃至８のいずれかに記載のレンジフード。
【請求項１０】
レンジフードは、さらに、ファンケーシングを内部に含む送風機ボックスを備え、
前記ファンケーシングは、前記ファンケーシングの内部に付着した油分を下方へ導くファンケーシング油抜き孔を有し、前記送風機ボックスは、前記ファンケーシング油抜き孔から滴下した油や前記送風機ボックスの内部に付着した油分をさらに下方へ導く送風機ボックス油抜き孔を有し、
前記送風機ボックス油抜き孔の正面側端部は、前記開口部に嵌ったフィルタの背面側端部よりも背面側に位置し、前記送風機ボックス油抜き孔の背面側端部は前記油受部の背面側端部よりも正面側に位置することを特徴とする請求項１乃至９のいずれかに記載のレンジフード。
【手続補正２】
【補正対象書類名】明細書
【補正対象項目名】０００４
【補正方法】変更
【補正の内容】
【０００４】
上記課題を解決するために、フードの内面に設けられ、空気を吸い込む開口部を有する内面パネルと、内面パネルと対向し、開口部を覆うように取り付けられる整流板と、を備え、設置された際、内面パネルの一端および内面パネルの一端に対応する整流板の一端は、内面パネルの他端および内面パネルの他端に対応する整流板の他端に対して、それぞれ高い位置に存し、内面パネルと整流板が正面側において高く、背面側において低くなるように傾斜しているサイドドラフト型のレンジフードにおいて、レンジフードは、さらに、整流板の他端の側または内面パネルの他端の側の一部において整流板と内面パネルの間の間隔を狭める風量抑制部と、整流板の他端の側または内面パネルの他端の側に設けられ、整流板の他端の幅より大きい幅を有する油受部と、を備えるレンジフードが提供される。
これによれば、整流板の他端である下辺の一部の空気の流量が抑制されることで、空気を吸い込む力がその他の部分に分散し、これにより、風量抑制部分以外の位置の吸い込み性能が向上し、開口部から離れた位置にある吸込口においても油煙を吸い込む力を確保したレンジフードを提供できる。